(57)【要約】【課題】インサートナットを用いることなく容易に屋外側から施工することができる出隅用外壁パネルの取付構造の提供。【解決手段】出隅用外壁パネルの取付構造１は、出隅用外壁パネル３のリップ溝形鋼１５のリップ部１７に固定される固定板２と、固定板２を介して出隅用外壁パネル３を構造躯体５に取り付ける取付金具４とを備える。出隅用外壁パネル３は、凹部１３を有し、凹部１３の底面１４が互いに直交する二つの壁面８，８それぞれに対して４５度傾斜して形成され、凹部１３の底面１４へ開口してリップ溝形鋼１５が埋設されている。固定板２が固定された出隅用外壁パネル３は、固定板２の延出部１９が構造躯体５に取り付けられた取付金具４の支持体２５と押え片２６とで挟持されることで、構造躯体５に着脱可能に取り付けられる。【選択図】図１
2019044406.tif 000002
【特許請求の範囲】
【請求項１】
建物の外壁の出隅部に配置され、上下方向へ沿って配置されると共に屋内側面へ開口して配置されるリップ溝形鋼を有する出隅用外壁パネルが前記建物の構造躯体に取り付けられる出隅用外壁パネルの取付構造であって、
前記リップ溝形鋼のリップ部に固定される固定板と、
前記構造躯体の屋外側に取付手段を介して取り付けられる支持体と、前記支持体に回転可能かつ近接離隔可能に設けられて前記支持体とで前記固定板の側端部を挟持する押え片と、前記出隅用外壁パネルと前記出隅用外壁パネルに隣接する外壁パネルとの間の外壁目地を介して屋外側から前記押え片を前記支持体に対して近接離隔させる操作部材と、前記外壁目地を介して屋外側から前記出隅用外壁パネルを前記構造躯体に対して近接離隔させる近接離隔手段を有する取付金具と
を備えることを特徴とする出隅用外壁パネルの取付構造。
【請求項２】
前記出隅用外壁パネルは、互いに直交する二つの壁面を有すると共に、前記屋内側面が凹形状に形成されて凹部を有し、前記凹部の底面が一方の壁面および他方の壁面に対して略４５度傾斜して形成され、前記凹部の底面へ開口して前記リップ溝形鋼が配置されており、
前記固定板は、前記リップ部への固定部と、前記固定部の側端部から略ハの字形状に延出する延出部とを有し、一方の前記延出部の延出長さと他方の前記延出部の延出長さとが同一に形成されており、
前記取付金具は、前記支持体と前記押え片とで前記延出部を挟持する
ことを特徴とする請求項１に記載の出隅用外壁パネルの取付構造。
【請求項３】
前記固定板は、前記リップ部に固定された状態において前記リップ溝形鋼の開口幅方向へのずれを防止する防止片を有する
ことを特徴とする請求項１または請求項２に記載の出隅用外壁パネルの取付構造。
【発明の詳細な説明】
【技術分野】
【０００１】
本発明は、建物の外壁の出隅部に配置される出隅用外壁パネルが建物の構造躯体に取り付けられる出隅用外壁パネルの取付構造に関するものであり、特に、リップ溝形鋼が埋設された出隅用外壁パネルが構造躯体に取り付けられる出隅用外壁パネルの取付構造に関するものである。
【背景技術】
【０００２】
本件発明者は、先に、下記特許文献１に開示される出隅用パネル取付構造を提案している。この出隅用パネル取付構造は、出隅用パネルに固定される取付金具本体と、取付金具本体の突出部に形成された長穴に挿入される支持ボルトと、前記突出部に形成された調整用ネジ孔に締結及び弛緩自在に螺合される不陸調整ネジとから成る出隅用パネル取付金具と、建築物躯体に支持されて出隅用パネル取付金具を受ける取付金具受け部材とにより構成されている。
【０００３】
出隅用パネル取付構造の各構成を用いて出隅用パネルを施工する際には、まず、出隅用パネルに取付金具本体が固定され、取付金具受け部材が垂直柱とコーナー添柱とを連結する横綴りボルトに引っ掛けられる。ここで、パネル固定ボルトが取付金具本体を介して出隅用パネルに形成されたインサートナットにねじ込まれることで、出隅用パネルに取付金具本体が固定される。そして、支持ボルトが取付金具本体の長穴を介して取付金具受け部材の固定用ネジ孔にねじ込まれることで、建築物躯体に出隅用パネルが固定される。なお、不陸調整ネジは、その先端が取付金具受け部材の受け部に当接するように、取付金具本体の調整用ネジ孔にねじ込まれる。
【先行技術文献】
【特許文献】
【０００４】
【特許文献１】特開２０１２−９２５９５号公報
【発明の概要】
【発明が解決しようとする課題】
【０００５】
しかしながら、従来の場合、出隅用パネルに埋設されるインサートナットは、出隅用パネル毎に上下方向に埋設位置が異なるので、製造ミスが発生するおそれがある。また、従来の場合、通常、出隅用パネルの内部には、メッシュ状の鉄筋がＬ字状に折り曲げられた状態で埋設されており、鉄筋の曲げ加工が必要である。また、従来の場合、メッシュ状の鉄筋に加えて、補強鉄筋が上下方向へ沿って埋設されており、コスト高となる。さらに、従来の場合、出隅用パネル取付金具とその取付金具受け部材とが用いられる構成であるので、複雑な構成となり、施工に手間を要する。従って、製造、生産性および施工性などの観点で改善の余地がある。
【０００６】
本発明は、このような問題に鑑みてなされたものであり、その主たる目的は、インサートナットを用いることなく容易に屋外側から施工することができる出隅用外壁パネルの取付構造を提供することにある。
【課題を解決するための手段】
【０００７】
上記目的を達成するための本発明に係る出隅用外壁パネルの取付構造は、建物の外壁の出隅部に配置され、上下方向へ沿って配置されると共に屋内側面へ開口して配置されるリップ溝形鋼を有する出隅用外壁パネルが前記建物の構造躯体に取り付けられる出隅用外壁パネルの取付構造であって、前記リップ溝形鋼のリップ部に固定される固定板と、前記構造躯体の屋外側に取付手段を介して取り付けられる支持体と、前記支持体に回転可能かつ近接離隔可能に設けられて前記支持体とで前記固定板の側端部を挟持する押え片と、前記出隅用外壁パネルと前記出隅用外壁パネルに隣接する外壁パネルとの間の外壁目地を介して屋外側から前記押え片を前記支持体に対して近接離隔させる操作部材と、前記外壁目地を介して屋外側から前記出隅用外壁パネルを前記構造躯体に対して近接離隔させる近接離隔手段を有する取付金具とを備えることを特徴とする。
【０００８】
また、本発明に係る出隅用外壁パネルの取付構造は、前記出隅用外壁パネルは、互いに直交する二つの壁面を有すると共に、前記屋内側面が凹形状に形成されて凹部を有し、前記凹部の底面が一方の壁面および他方の壁面に対して略４５度傾斜して形成され、前記凹部の底面へ開口して前記リップ溝形鋼が配置されており、前記固定板は、前記リップ部への固定部と、前記固定部の側端部から略ハの字形状に延出する延出部とを有し、一方の前記延出部の延出長さと他方の前記延出部の延出長さとが同一に形成されており、前記取付金具は、前記支持体と前記押え片とで前記延出部を挟持することを特徴とする。
【０００９】
さらに、本発明に係る出隅用外壁パネルの取付構造は、前記固定板は、前記リップ部に固定された状態において前記リップ溝形鋼の開口幅方向へのずれを防止する防止片を有することを特徴とする。
【発明の効果】
【００１０】
本発明に係る出隅用外壁パネルの取付構造によれば、リップ溝形鋼を有する出隅用外壁パネルは、そのリップ溝形鋼のリップ部に固定される固定板を介して、屋外側から操作可能な取付金具により構造躯体に取り付けられる。このようにして、出隅用外壁パネルの取付構造では、従来のようにインサートナットとそれにねじ込まれるボルトにより取付金具本体が出隅用パネルに固定される構成ではなく、リップ溝形鋼に固定板が固定される構成であるので、出隅用外壁パネルを容易に製造することができる。また、出隅用外壁パネルは、固定板とそれとは別体の取付金具により、出隅用外壁パネルが構造躯体に取り付けられる。従って、出隅用外壁パネルを構造躯体に取り付ける際の施工性の向上を図ることができる。
【００１１】
また、本発明に係る出隅用外壁パネルの取付構造によれば、出隅用外壁パネルは、リップ溝形鋼が設けられる凹部の底面が出隅用外壁パネルの両壁面に対して略４５度傾斜して形成されている。従って、出隅用外壁パネル内に平板状のメッシュ状の鉄筋を埋設することができ、メッシュ状の鉄筋の曲げ加工を行う必要がなく、手間がかからない。また、メッシュ状の鉄筋の折曲部および側端部に配置される補強鉄筋を省略することができ、コストの低減を図ることができる。さらに、出隅用外壁パネルに凹部を形成することで、取付金具の設置スペースを容易に確保することができる。これに加えて、本発明に係る出隅用外壁パネルの取付構造の場合、固定板の延出部の一方および他方の延出長さが同一のため、固定板を上下反転させて出隅用外壁パネルに固定した場合においても、取付金具により出隅用外壁パネルを構造躯体に取り付けることができる。すなわち、固定板の取付方向を気にすることなく施工することができるので、施工性をより向上させることができる。
【００１２】
さらに、本発明に係る出隅用外壁パネルの取付構造によれば、固定板が防止片を有するので、出隅用外壁パネルを構造躯体に取り付けた際に、出隅用外壁パネルがずれるのを防止することができる。
【図面の簡単な説明】
【００１３】
【図１】本発明の出隅用外壁パネルの取付構造の一実施例を上方から見た概略説明図であり、一部を断面にして示している。
【図２】図１の出隅用外壁パネルの取付構造において、固定板が出隅用外壁パネルに取り付けられる状態を示す斜視図であり、屋内側から見た状態を示している。
【図３】図１の出隅用外壁パネルの取付構造の取付金具を示す斜視図であり、上方から見た状態を示している。
【図４】図１の出隅用外壁パネルの取付構造の取付金具を示す斜視図であり、下方から見た状態を示している。
【図５】図１の出隅用外壁パネルの取付構造の取付金具を示す側面図であり、一部を断面にして示している。
【図６】図１の出隅用外壁パネルの取付構造において、建物の構造躯体に取付金具が取り付けられる状態を示す斜視図である。
【図７】図１の出隅用外壁パネルの取付構造において、固定板が固定された出隅用外壁パネルが構造躯体に取り付けられる状態を示す斜視図である。
【図８】図１の出隅用外壁パネルの取付構造において、構造躯体に取り付けられた出隅用外壁パネルの不陸を調整する状態を上方から見た説明図であり、一部を断面にして示すと共に一部を省略して示している。
【発明を実施するための形態】
【００１４】
以下、本発明の出隅用外壁パネルの取付構造の具体的実施例を図面に基づいて詳細に説明する。
【００１５】
図１は、本発明の出隅用外壁パネルの取付構造１の一実施例を上方から見た概略説明図であり、一部を断面にして示している。図２から図５は、図１の出隅用外壁パネルの取付構造１を示す図であり、図２は固定板２が出隅用外壁パネル３に取り付けられる状態を屋内側から見た斜視図、図３は取付金具４を上方から見た斜視図、図４は取付金具４を下方から見た斜視図、図５は取付金具４の縦断面図である。本実施例の出隅用外壁パネルの取付構造１は、建物の外壁の出隅部に配置される出隅用外壁パネル３が建物の構造躯体５に取り付けられるものであって、出隅用外壁パネル３に固定される固定板２と、固定板２を介して出隅用外壁パネル３を構造躯体５に取り付ける取付金具４とを備える。
【００１６】
本実施例では、建物の構造躯体５は、横断面矩形状の出隅柱６と、この出隅柱６に隣接して配置される二つの軸柱７，７とを備えて構成される。出隅柱６は、出隅側の角部が開放された横断面矩形状に形成されており、上下方向へ沿って配置される。二つの軸柱７，７は、リップ溝形鋼（Ｃ形鋼）とされ、出隅柱６の開放された角部と対角側の角部を構成する二つの辺部にそれぞれ隣接して上下方向へ沿って配置される。この際、各軸柱７は、出隅柱６とは反対側へ開口するようにして配置される。図示しないが、出隅柱６と各軸柱７とは、それぞれを横方向へ貫通して配置されるボルトとそれにねじ込まれるナットにより連結される。
【００１７】
出隅用外壁パネル３は、上下方向に細長い略ブロック状に形成されている。図示例では、出隅用外壁パネル３は、互いに直交する二つの壁面８，８を有している。この二つの壁面８，８は、屋外側へ配置されて外部に露出される面である。二つの壁面８，８はそれぞれ、側端面９，９を介して、屋内側面１０に連接されている。側端面９，９はそれぞれ、隣接する外壁パネル１１，１１の側端面１２と対応する面である。
【００１８】
出隅用外壁パネル３の屋内側面１０は、内方へ凹んで凹形状に形成されている。従って、出隅用外壁パネル３は、屋内側へ開口する溝状の凹部１３を有している。この凹部１３は、上下方向へ沿って延出されており、上下両端部が開口している。凹部１３の底面１４は、一方の壁面８ａおよび他方の壁面８ｂに対して略４５度傾斜して形成されている。具体的には、凹部１３の底面１４の一方の側縁から底面１４に沿って外方へ延出する線分Ｐと一方の壁面８ａの側縁から壁面８ａに沿って外方へ延出する線分Ｑとのなす角αが略４５度とされている。また、凹部１３の底面１４の他方の側縁から底面１４に沿って外方へ延出する線分Ｒと他方の壁面８ｂの側縁から壁面８ｂに沿って外方へ延出する線分Ｓとのなす角βが略４５度とされている。
【００１９】
図１に示されるように、出隅用外壁パネル３は、リップ溝形鋼（Ｃ形鋼）１５を有している。このリップ溝形鋼１５は、上下方向へ沿って配置されると共に、屋内側面１０へ開口して配置される。図示例では、上下方向へ沿って配置されると共に、凹部１３の底面１４へ開口して配置される。また、出隅用外壁パネル３は、平板状のメッシュ状の鉄筋１６を有している。この鉄筋１６は、リップ溝形鋼１５の背板部に沿って配置される。このような構成の出隅用外壁パネル３は、型枠にコンクリート材料を流し込んで硬化させた後に型枠を取り外すキャスティング成形によって形成することができる。この際、出隅用外壁パネル３の両壁面８ａ，８ｂの角部が下方へ向いて両壁面８ａ，８ｂがＶ字形状となるように型枠が組み付けられると共に、リップ溝形鋼１５が上方へ開口して配置された状態で、型枠内にコンクリート材料が打設される。
【００２０】
固定板２は、出隅用外壁パネル３のリップ溝形鋼１５のリップ部１７に固定される板状の部材である。本実施例の固定板２は、リップ部１７への固定部１８と、固定部１８の側端部から略ハの字形状に延出する延出部１９，１９と、リップ部１７に固定された状態においてリップ溝形鋼１５の開口幅方向へのずれを防止する防止片２０を有している。
【００２１】
固定部１８は、上下方向を長手方向とする略長方形の板状とされ、板面を屋内外方向へ向けて配置される。固定部１８には、屋内外方向へ貫通して複数（図示例では三つ）の円形状の貫通穴２１が形成されている。複数の貫通穴２１は、互いに上下方向へ離隔して配置されている。
【００２２】
延出部１９は、凹部１３の底面１４から離隔するようにして、固定部１８の側端部から略ハの字形状に延出して形成されている。延出部１９は、上下方向を長手方向とする略長方形の板状に形成されている。本実施例では、延出部１９は、板材の両端部を折り曲げることで形成されており、固定部１８と一体形成されている。
【００２３】
防止片２０は、横方向に互いに離隔して配置される一対の略矩形板状の部材とされ、固定部１８から屋外方向へ延出して形成されている。本実施例では、防止片２０は、固定部１８の一部を屋外側へ切り起こすことで形成されている。図示例では、一対の防止片２０，２０は、上下に離隔して配置される貫通穴２１，２１間に配置されている。
【００２４】
図１および図２に示されるように、固定板２は、リップ溝形鋼１５のリップ部１７の屋内側に固定される。本実施例では、板片２２と固定部１８とでリップ部１７を挟持した状態で、板片２２、リップ溝形鋼１５の開口および固定部１８の一つまたは複数の貫通穴２１を順に貫通して配置されるボルト２３にナット２４がねじ込まれることで、固定板２がリップ溝形鋼１５のリップ部１７に固定される。この際、固定板２は、略ハの字形状の延出部１９，１９がリップ溝形鋼１５から離隔するようにして、リップ溝形鋼１５に固定される。また、一対の防止片２０，２０は、一方の防止片２０が一方のリップ部１７の先端に接触されると共に、他方の防止片２０が他方のリップ部１７の先端に接触される。なお、固定板２は、上下方向へ沿って配置されるリップ溝形鋼１５に、互いに上下に離隔して複数固定される。
【００２５】
取付金具４は、固定板２を介して出隅用外壁パネル３を構造躯体５に着脱可能に取り付けるものである。本実施例の取付金具４は、構造躯体５の屋外側に取り付けられる支持体２５と、支持体２５に回転可能かつ近接離隔可能に設けられる押え片２６と、押え片２６を操作する操作部材２７と、出隅用外壁パネル３を構造躯体５に対して近接離隔させる近接離隔手段２８とを有している。
【００２６】
支持体２５は、略矩形板状とされ、上方から見た際に略Ｌ字状に折り曲げられた後さらに略Ｌ字状に折り曲げられて形成されており、屋外側に配置される板状部２９と屋内側に配置される板状部３０とが互いに側端部を介して連接されている。支持体２５は、板面を屋内外方向へ向けて配置されており、屋外側に配置される板状部２９の側端部（屋内側に配置される板状部３０に連接される側の側端部とは逆側の側端部）へ開口すると共に、屋内外方向へ開口する開口部３１が形成されている。支持体２５の屋外側に配置される板状部２９の上下両端部には、屋内方向へ突出する突出部３２が形成されている。
【００２７】
押え片２６は、支持体２５とで固定板２の側端部を挟持するものである。本実施例では、二つの押え片２６，２６が支持体２５の屋外側に上下に離隔して配置される。各押え片２６は、略長方形の板状とされ、長手方向一端部が屋内側へ傾斜するよう折り曲げられて形成されている。各押え片２６の長手方向一端部は、二股分かれして形成されている。
【００２８】
操作部材２７は、押え片２６を支持体２５に対して近接離隔させるものであり、本実施例では、ボルト３３を有している。このボルト３３は、押え片２６の長手方向他端部に形成された貫通穴３４を介して、支持体２５の屋外側の板状部２９に形成されたネジ穴３５にねじ込まれる。この際、ボルト３３には、押え片２６を支持体２５から離隔する方向へ付勢する付勢手段３６が設けられる。本実施例の付勢手段３６は、コイルバネとされ、ボルト３３にはめ込まれる。コイルバネ３６は、内部にボルト３３が貫通した状態で、一端部が押え片２６に接触されると共に、他端部が支持体２５に接触される。図示例では、コイルバネ３６は、他端側から一端側へ行くに従って直径が小さくなる略円錐状に形成されている。
【００２９】
このようにして、ボルト３３により、各押え片２６が支持体２５に近接離隔可能に設けられる。すなわち、ボルト３３を支持体２５に形成されたネジ穴３５にねじ込む方向へ回転させることで、押え片２６を支持体２５に近接する方向へ移動させることができる。これとは逆に、ボルト３３を支持体２５に形成されたネジ穴３５から取り外す方向へ回転させて緩めることで、押え片２６を支持体２５から離隔する方向へ移動させることができる。また、前述した構成であるので、各押え片２６は、ボルト３３により支持体２５に回転可能に設けられる。各押え片２６は、ボルト３３の軸まわりに回転可能とされており、コイルバネ３６により不意に回転することが抑制されている。
【００３０】
近接離隔手段２８は、支持体２５の屋内側に配置される背面部３７と、支持体２５と背面部３７とを近接離隔可能に連結する連結部３８とを有している。背面部３７は、略矩形板状に形成されており、板面を屋内外方向へ向けて配置される。連結部３８は、ボルト３９を有しており、このボルト３９が上下の押え片２６，２６の間において支持体２５に形成された貫通穴４０を介して背面部３７の上端部に形成されたネジ穴４１にねじ込まれる。この際、ボルト３９にはナット４２がねじ込まれており、このナット４２とボルト３９の頭部とにより支持体２５が挟まれている。また、背面部３７は、下端部が支持体２５に形成された開口部３１に対応するよう配置される。これにより、支持体２５は、ボルト３９に対して、屋内外方向へ移動することがない。従って、ボルト３９を背面部３７のネジ穴４１にねじ込む方向へ回転させることで、背面部３７に対して支持体２５を近接させることができる。これとは逆に、ボルト３９を背面部３７のネジ穴４１から取り外す方向へ回転させて緩めることで、背面部３７に対して支持体２５を離隔させることができる。
【００３１】
図１に示されるように、支持体２５は、取付手段４３を介して、構造躯体５の屋外側に取り付けられる。取付手段４３は、略Ｌ字形状のボルト４４を有している。図５に示されるように、ボルト４４は、先端部が屈曲されて略Ｌ字形状に形成されており、基端部にネジが切られている。このボルト４４は、そのネジが切られた基端部が背面部３７の下端部に形成されたネジ穴４５にねじ込まれて、背面部３７から屋内方向へ延出されている。このような構成の取付手段４３によって、支持体２５が構造躯体５に取り付けられる。具体的には、図１に示されるように、出隅柱６と軸柱７との間の隙間にボルト４４が通された状態で、ボルト４４の屈曲された先端部が構造躯体５に引っ掛けられると共に、背面部３７が出隅柱６および軸柱７に当接されることで、支持体２５が構造躯体５に取り付けられる。
【００３２】
次に、本実施例の出隅用外壁パネルの取付構造１の施工方法について説明する。図６および図７は、本実施例の出隅用外壁パネルの取付構造１を示す図であり、図６は建物の構造躯体５に取付金具４が取り付けられる状態を示す斜視図、図７は固定板２が固定された出隅用外壁パネル３が構造躯体５に取り付けられる状態を示す斜視図である。
【００３３】
出隅用外壁パネル３が構造躯体５に取り付けられる際には、まず、前述したように、出隅用外壁パネル３に固定板２が固定される。この際、固定板２は、板片２２、ボルト２３およびナット２４が取り付けられた状態で、所定位置に前述したように固定される。また、図６に示されるように、構造躯体５に取付金具４が屋外側から取り付けられる。本実施例では、一枚の固定板２に対して二つの取付金具４ａ，４ｂが用いられ、これら二つの取付金具４ａ，４ｂが互いに鏡像対称形状に形成されている。
【００３４】
二つの取付金具４ａ，４ｂの内、一方の取付金具４ａは、ボルト４４の先端部が上方へ向いた状態でボルト４４が屋外側から出隅柱６と一方の軸柱７ａとの間の隙間に差し込まれると共に、支持体２５の上下に形成された突出部３２が屋外側から出隅柱６と一方の軸柱７ａとの間の隙間に差し込まれる。この際、ボルト４４および突出部３２は、背面部３７が構造躯体５に当接するまで差し込まれる。そして、六角レンチなどの工具を用いてボルト４４を回転させて、ボルト４４の屈曲した先端部が出隅柱６の角部に引っ掛けられる。これにより、ボルト４４の屈曲した先端部と背面部３７とにより構造躯体５が挟まれて、構造躯体５に一方の取付金具４ａを着脱可能に取り付けることができる。また、他方の取付金具４ｂは、ボルト４４の先端部が上方へ向いた状態でボルト４４が屋外側から出隅柱６と他方の軸柱７ｂとの間の隙間に差し込まれると共に、支持体２５の上下に形成された突出部３２が屋外側から出隅柱６と他方の軸柱７ｂとの間の隙間に差し込まれる。この際、ボルト４４および突出部３２は、背面部３７が構造躯体５に当接するまで差し込まれる。そして、六角レンチなどの工具を用いてボルト４４を回転させて、ボルト４４の屈曲した先端部が出隅柱６の角部に引っ掛けられる。これにより、ボルト４４の屈曲した先端部と背面部３７とにより構造躯体５が挟まれて、構造躯体５に他方の取付金具４ｂを着脱可能に取り付けることができる。
【００３５】
一方の取付金具４ａおよび他方の取付金具４ｂは、構造躯体５に取り付けられた状態において、屋内側に配置される板状部３０が出隅柱６側に配置される。また、一方の取付金具４ａおよび他方の取付金具４ｂは、上下に離隔して構造躯体５に取り付けられ、本実施例では、一方の取付金具４ａが上方に配置され、他方の取付金具４ｂが下方に配置される。
【００３６】
取付金具４の構造躯体５への取付後、固定板２が固定された出隅用外壁パネル３が構造躯体５に取り付けられる。具体的には、図７に示されるように、固定板２の側端部がそれぞれ、一方の取付金具４ａの支持体２５と両押え片２６，２６とにより挟持されると共に、他方の取付金具４ｂの支持体２５と両押え片２６，２６とにより挟持されることで、構造躯体５に出隅用外壁パネル３が取り付けられる。すなわち、固定板２の一方の延出部１９ａの上端部が一方の取付金具４ａの屋内側に配置される板状部３０と両押え片２６，２６の先端部とにより挟持されると共に、固定板２の他方の延出部１９ｂの下端部が他方の取付金具４ｂの屋内側に配置される板状部３０と両押え片２６，２６の先端部とにより挟持される。このようにして、出隅用外壁パネル３は、固定板２を介して、取付金具４により構造躯体５に取り付けることができる。
【００３７】
出隅用外壁パネル３が構造躯体５に取り付けられる際、構造躯体５に取り付けられた各取付金具４の両押え片２６，２６は、長手方向が上下方向へ沿って配置される。この状態において、出隅用外壁パネル３に固定された固定板２の一方の延出部１９ａが一方の取付金具４ａの支持体２５の屋内側に配置される板状部３０の屋外側に配置されると共に、他方の延出部１９ｂが他方の取付金具４ｂの支持体２５の屋内側に配置される板状部３０の屋外側に配置される。この際、出隅用外壁パネル３の一方の側端部とこれに隣接する外壁パネル１１ａとの間、および出隅用外壁パネル３の他方の側端部とこれに隣接する外壁パネル１１ｂとの間にはそれぞれ、外壁目地４６が形成される。ここで、構造躯体５に取り付けられた取付金具４の両ボルト３３，３３およびボルト３９は、外壁目地４６の奥側に配置され、屋外側から外壁目地４６を介して視認可能とされている。
【００３８】
そして、一方の外壁目地４６ａを介して屋外側から工具が挿入され、この工具により、一方の取付金具４ａの両押え片２６，２６をその先端部が支持体２５の屋内側に配置される板状部３０の屋外側に配置されるように回転させる。また、他方の外壁目地４６ｂを介して屋外側から工具が挿入され、この工具により、他方の取付金具４ｂの両押え片２６，２６をその先端部が支持体２５の屋内側に配置される板状部３０の屋外側に配置されるように回転させる。このようにして取付金具４の両押え片２６，２６を回転させた後、一方の外壁目地４６ａを介して屋外側から六角レンチなどの工具が挿入され、この工具により、一方の取付金具４ａの両ボルト３３，３３を支持体２５に形成されたネジ穴３５にねじ込まれる方向へ回転させて、両押え片２６，２６を支持体２５に対して近接する方向へ移動させる。これにより、一方の取付金具４ａの両押え片２６，２６と支持体２５とで一方の延出部１９ａが挟持される。また、他方の外壁目地４６ｂを介して屋外側から六角レンチなどの工具が挿入され、この工具により、他方の取付金具４ｂの両ボルト３３，３３を支持体２５に形成されたネジ穴３５にねじ込まれる方向へ回転させて、両押え片２６，２６を支持体２５に対して近接する方向へ移動させる。これにより、他方の取付金具４ｂの両押え片２６，２６と支持体２５とで他方の延出部１９ｂが挟持される。このようにして取付金具４の押え片２６と支持体２５とで固定板２の側端部が挟持されることで、構造躯体５に出隅用外壁パネル３が取り付けられる。
【００３９】
なお、出隅用外壁パネル３を構造躯体５から取り外す際には、取付時と逆のことを行えばよい。具体的には、一方の外壁目地４６ａを介して屋外側から挿入される六角レンチなどの工具により、一方の取付金具４ａの両ボルト３３，３３を支持体２５に形成されたネジ穴３５から取り外す方向へ回転させて両押え片２６，２６を支持体２５に対して離隔する方向へ移動させ、一方の取付金具４ａの両押え片２６，２６と支持体２５とによる一方の延出部１９ａの挟持を解除する。また、他方の外壁目地４６ｂを介して屋外側から挿入される六角レンチなどの工具により、他方の取付金具４ｂの両ボルト３３，３３を支持体２５に形成されたネジ穴３５から取り外す方向へ回転させて両押え片２６，２６を支持体２５に対して離隔する方向へ移動させ、他方の取付金具４ｂの両押え片２６，２６と支持体２５とによる他方の延出部１９ｂの挟持を解除する。そして、一方の外壁目地４６ａを介して屋外側から挿入される工具により、一方の取付金具４ａの両押え片２６，２６を長手方向が上下方向へ沿うように回転させる。また、他方の外壁目地４６ｂを介して屋外側から挿入される工具により、他方の取付金具４ｂの両押え片２６，２６を長手方向が上下方向へ沿うように回転させる。これにより、出隅用外壁パネル３は、構造躯体５に取り付けられた取付金具４から取り外し可能な状態とされ、構造躯体５から取り外すことができる。従って、出隅用外壁パネル３は、固定板２を介して、取付金具４により構造躯体５に屋外側から着脱可能に取り付けることができる。
【００４０】
図８は、本実施例の出隅用外壁パネルの取付構造１において、構造躯体５に取り付けられた出隅用外壁パネル３の不陸を調整する状態を上方から見た説明図であり、（Ａ）はボルト３９を締め付けた状態、（Ｂ）はボルト３９を緩めた状態を示している。なお、図８は、一部を断面にして示すと共に一部を省略して示している。この図に示されるように、出隅用外壁パネル３の不陸を調整する場合には、ボルト３９の締め付けまたは緩めを行えばよい。ここでは、他方の取付金具４ｂを操作して、出隅用外壁パネル３の不陸を調整する場合について説明する。
【００４１】
ボルト３９を締め付けて出隅用外壁パネル３の不陸を調整する場合には、外壁目地４６ｂを介して屋外側から挿入される六角レンチなどの工具により、ボルト３９を背面部３７に形成されたネジ穴４１にねじ込む方向へ回転させる。これにより、支持体２５は、背面部３７に対して近接する方向へ移動される。前述したように延出部１９が支持体２５と押え片２６とにより挟持されているので、出隅用外壁パネル３の他方の側端部が構造躯体５に対して近接する方向へ移動される。
【００４２】
ボルト３９を緩めて出隅用外壁パネル３の不陸を調整する場合には、外壁目地４６ｂを介して屋外側から挿入される六角レンチなどの工具により、ボルト３９を背面部３７に形成されたネジ穴４１から取り外す方向へ回転させる。これにより、支持体２５は、背面部３７に対して離隔する方向へ移動される。前述したように延出部１９が支持体２５と押え片２６とにより挟持されているので、出隅用外壁パネル３の他方の側端部が構造躯体５に対して離隔する方向へ移動される。このようにしてボルト３９の締め付けまたは緩めを行うことで、出隅用外壁パネル３をその他方の側端部が構造躯体５に近接する方向または離隔する方向へ移動させることができ、出隅用外壁パネル３の不陸を調整することができる。なお、一方の取付金具４ａを操作して出隅用外壁パネル３の不陸を調整する場合も、前述した他方の取付金具４ｂの場合と同様にして行われる。
【００４３】
本実施例の出隅用外壁パネルの取付構造１の場合、出隅用外壁パネル３は、リップ溝形鋼１５のリップ部１７に固定される固定板２を介して、取付金具４により構造躯体５に取り付けられる。従って、本実施例の出隅用外壁パネルの取付構造１は、出隅用外壁パネルにインサートナットが設けられる従来とは構成が異なり、出隅用外壁パネル３を容易に製造することができ、構造躯体５に出隅用外壁パネル３を容易に取り付けることができる。また、本実施例の出隅用外壁パネルの取付構造１の場合、出隅用外壁パネル３の構造躯体５への取り付けには、固定板２と取付金具４とが用いられる。従って、本実施例の出隅用外壁パネルの取付構造１は、固定板２と取付金具４とが一体的に形成された従来の場合と比較して、出隅用外壁パネル３を構造躯体５に取り付ける際の施工性の向上を図ることができる。
【００４４】
また、本実施例の出隅用外壁パネルの取付構造１の場合、出隅用外壁パネル３の屋内側面１０が略４５度傾斜して形成され、その傾斜した屋内側面１０に開口してリップ溝形鋼１５が略４５度傾斜した状態で出隅用外壁パネル３に埋設されている。従って、本実施例の出隅用外壁パネルの取付構造１は、出隅用外壁パネル３に平板状のメッシュ状の鉄筋１６を埋設することができ、メッシュ状の鉄筋をＬ字形状に折り曲げる加工を要する従来の場合と比較して、手間とコストとがかからない。また、メッシュ状の鉄筋の折曲部および側端部に上下に沿って配置される従来では必要であった補強鉄筋を省略することができ、コストの低減を図ることができる。
【００４５】
また、本実施例の出隅用外壁パネルの取付構造１の場合、出隅用外壁パネル３の屋内側面１０が内方へ凹んだ凹形状に形成されているので、構造躯体５に取り付けられた取付金具４のためのスペースを容易に確保することができる。また、本実施例の出隅用外壁パネルの取付構造１の場合、一方の延出部１９ａの延出長さと他方の延出部１９ｂの延出長さとが同一に形成されているので、固定板２を上下反転させた状態で出隅用外壁パネル３に固定することができる。このようにして、取付金具４のスペースの確保を容易に行うことができると共に、固定板２の取付方向を気にすることなく施工することができるので、施工性をより向上させることができる。
【００４６】
また、本実施例の出隅用外壁パネルの取付構造１の場合、固定板２が防止片２０を有しているので、固定板２が出隅用外壁パネル３に固定された状態においてリップ溝形鋼１５の水平方向であるリップ部１７，１７間方向への固定板２のずれを防止することができる。従って、出隅用外壁パネル３を構造躯体５に取り付けた際の出隅用外壁パネル３のずれを防止することができる。また、本実施例の出隅用外壁パネルの取付構造１の場合、出隅用外壁パネル３は、前述したように従来から略４５度傾斜した状態でキャスティング成形によって形成されている。従って、本実施例の出隅用外壁パネルの取付構造１は、出隅用外壁パネル３の形成時のピンホールを低減することができ、意匠性の向上および補修作業にかかるコストの低減を図ることができる。
【００４７】
また、本実施例の出隅用外壁パネルの取付構造１の場合、構造躯体５への出隅用外壁パネル３の取り付け、および構造躯体５からの出隅用外壁パネル３の取り外しを屋外側から行うことができる。従って、リフォーム時や不具合が発生した場合などにおいて、屋内側の仕上材などを剥がすことなく、また、出隅用外壁パネル３に隣接する外壁パネル１１を取り外すことなく出隅用外壁パネル３の交換を容易に行うことができる。また、地震などの有事の際、出隅用外壁パネル３を屋外側から取り外して、構造躯体５の点検や補修を行うことができる。この際、出隅用外壁パネル３に損傷がない場合には、構造躯体５に取り外した出隅用外壁パネル３を再度取り付けることができる。さらに、本実施例の出隅用外壁パネルの取付構造１の場合、ボルト３３を回転させて押え片２６を移動させることで、出隅用外壁パネル３の水平方向の位置を調整することができる。これに加えて、前述したように出隅用外壁パネル３の不陸を調整することができるので、施工性をさらに向上させることができる。
【００４８】
本発明の出隅用外壁パネルの取付構造は、前記実施例の構成に限らず、適宜変更可能である。たとえば、前記実施例では、出隅用外壁パネル３の両側端部に隣接する外壁パネル１１ａ，１１ｂは、通常の平板状の外壁パネルとされたが、これに限定されるものではない。典型的には、出隅用外壁パネル３の両側端部に隣接する外壁パネル１１ａ，１１ｂの内、一方が出隅用外壁パネル３であってもよい。この場合、その出隅用外壁パネル３は、前述した出隅用外壁パネル３と同様にして構造躯体５に着脱可能に取り付けられる。また、本実施例の出隅用外壁パネルの取付構造１は、ピロティ柱の四つの出隅部に配置される出隅用外壁パネル３の取付構造に適用することができる。
【産業上の利用可能性】
【００４９】
本発明の出隅用外壁パネルの取付構造は、リップ溝形鋼を有する出隅用外壁パネルを構造躯体に着脱可能に取り付ける際に好適に適用される。
【符号の説明】
【００５０】
１  出隅用外壁パネルの取付構造
２  固定板
３  出隅用外壁パネル
４  取付金具
５  構造躯体
８  壁面
１０  屋内側面
１１  外壁パネル
１３  凹部
１４  底面
１５  リップ溝形鋼
１７  リップ部
１８  固定部
１９  延出部
２０  防止片
２５  支持体
２６  押え片
２７  操作部材
２８  近接離隔手段
４３  取付手段
４６  外壁目地
【図１】
2019044406.tif 000003
【図２】
2019044406.tif 000004
【図３】
2019044406.tif 000005
【図４】
2019044406.tif 000006
【図５】
2019044406.tif 000007
【図６】
2019044406.tif 000008
【図７】
2019044406.tif 000009
【図８】
2019044406.tif 000010